(57)【特許請求の範囲】
【請求項１】
物体側から像側へと順に、正のパワーを有する第１レンズ群と、負のパワーを有する第２レンズ群と、正のパワーを有する第３レンズ群と、正のパワーを有する第４レンズ群とからなり、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（１−３）、（７）、（１２）、（ａ）及び（ｂ）を満足する、ズームレンズ系：
５３＜（ｆＴ／ｆＷ）×ｆＧ１／ｔＧ１＜９００  ・・・（１−３）
０．４９≦Ｍ１／ｆＧ１＜０．７０  ・・・（７）
−２５０＜ｆＧ２／ｔＬ２１＜−１８  ・・・（１２）
ωＷ≧３０  ・・・（ａ）
ｆＴ／ｆＷ≧４．５  ・・・（ｂ）
ここで、
ｆＧ１：第１レンズ群の合成焦点距離、
ｔＧ１：第１レンズ群の厚み（最物体側レンズ素子の物体側面から最像側レンズ素子の像側面までの光軸上の距離）、
Ｍ１：広角端から望遠端へのズーミング時の、第１レンズ群の光軸方向の移動量（広角端を基準とし、像側から物体側への移動を正とする）、
ｆＧ２：第２レンズ群の合成焦点距離、
ｔＬ２１：第２レンズ群の最物体側レンズ素子の中心厚み、
ωＷ：広角端での半画角（°）、
ｆＴ：望遠端での全系の焦点距離、
ｆＷ：広角端での全系の焦点距離
である。
【請求項２】
以下の条件（２）を満足する、請求項１に記載のズームレンズ系：
１．１５＜Ｍ３／ｆＧ３＜１．８０  ・・・（２）
ここで、
Ｍ３：広角端から望遠端へのズーミング時の、第３レンズ群の光軸方向の移動量（広角端を基準とし、像側から物体側への移動を正とする）、
ｆＧ３：第３レンズ群の合成焦点距離
である。
【請求項３】
以下の条件（３）を満足する、請求項１に記載のズームレンズ系：
０．０５０＜（β４Ｔ／β４Ｗ）／（ｆＴ／ｆＷ）＜０．１５５  ・・・（３）
ここで、
β４Ｔ：第４レンズ群の望遠端での横倍率、
β４Ｗ：第４レンズ群の広角端での横倍率、
ｆＴ：望遠端での全系の焦点距離、
ｆＷ：広角端での全系の焦点距離
である。
【請求項４】
以下の条件（４）を満足する、請求項１に記載のズームレンズ系：
５．３＜｛ｆＧ３×（ｆＴ／ｆＷ）｝／√（ｆＷ×ｆＴ）＜７．５  ・・・（４）
ここで、
ｆＧ３：第３レンズ群の合成焦点距離、
ｆＴ：望遠端での全系の焦点距離、
ｆＷ：広角端での全系の焦点距離
である。
【請求項５】
以下の条件（５）を満足する、請求項１に記載のズームレンズ系：
１０．６＜｛ｆＧ４×（ｆＴ／ｆＷ）｝／√（ｆＷ×ｆＴ）＜３５．０  ・・・（５）
ここで、
ｆＧ４：第４レンズ群の合成焦点距離、
ｆＴ：望遠端での全系の焦点距離、
ｆＷ：広角端での全系の焦点距離
である。
【請求項６】
以下の条件（６）を満足する、請求項１に記載のズームレンズ系：
４．０＜ｆＧ４／ｆＷ＜８．０  ・・・（６）
ここで、
ｆＧ４：第４レンズ群の合成焦点距離、
ｆＴ：望遠端での全系の焦点距離、
ｆＷ：広角端での全系の焦点距離
である。
【請求項７】
第３レンズ群が少なくとも１組の接合レンズ素子を含み、以下の条件（８）を満足する、請求項１に記載のズームレンズ系：
０．１５＜ｔＧ３ｃｅ／ｔＧ３＜０．３９  ・・・（８）
ここで、
ｔＧ３ｃｅ：第３レンズ群の接合レンズ素子の中心厚み、
ｔＧ３：第３レンズ群の厚み（最物体側レンズ素子の物体側面から最像側レンズ素子の像側面までの光軸上の距離）
である。
【請求項８】
以下の条件（９）を満足する、請求項１に記載のズームレンズ系：
−０．３０＜ｆＧ２／ｆＡＩＲ＜−０．１２  ・・・（９）
ここで、
ｆＧ２：第２レンズ群の合成焦点距離、
ｆＡＩＲ：第２レンズ群の、最像側レンズ素子の物体側面と該最像側レンズ素子と隣り合うレンズ素子の像側面との間の空気レンズの焦点距離
である。
【請求項９】
以下の条件（１０）を満足する、請求項１に記載のズームレンズ系：
−９０００＜（ｆＴ／ｆＷ）×ｆＬ１１／ｔＬ１１＜−５２６  ・・・（１０）
ここで、
ｆＬ１１：第１レンズ群の最物体側レンズ素子の焦点距離、
ｔＬ１１：第１レンズ群の最物体側レンズ素子の中心厚み、
ｆＴ：望遠端での全系の焦点距離、
ｆＷ：広角端での全系の焦点距離
である。
【請求項１０】
以下の条件（１１）を満足する、請求項１に記載のズームレンズ系：
６５＜（ｆＴ／ｆＷ）×ｆＧ１／ｔＬ１２＜９００  ・・・（１１）
ここで、
ｆＧ１：第１レンズ群の合成焦点距離、
ｔＬ１２：第１レンズ群の、物体側から２番目に位置するレンズ素子の中心厚み、
ｆＴ：望遠端での全系の焦点距離、
ｆＷ：広角端での全系の焦点距離
である。
【請求項１１】
以下の条件（１３）を満足する、請求項１に記載のズームレンズ系：
−２５０＜ｆＧ２／ｔＬ２２ｎ＜−１６  ・・・（１３）
ここで、
ｆＧ２：第２レンズ群の合成焦点距離、
ｔＬ２２ｎ：第２レンズ群の、最像側に位置する負レンズ素子の中心厚み
である。
【請求項１２】
第１レンズ群が２枚のレンズ素子で構成される、請求項１に記載のズームレンズ系。
【請求項１３】
第４レンズ群が１枚のレンズ素子で構成される、請求項１に記載のズームレンズ系。
【請求項１４】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（１−３）、（７）、（１２）、（ａ）及び（ｂ）：
５３＜（ｆＴ／ｆＷ）×ｆＧ１／ｔＧ１＜９００  ・・・（１−３）
０．４９≦Ｍ１／ｆＧ１＜０．７０  ・・・（７）
−２５０＜ｆＧ２／ｔＬ２１＜−１８  ・・・（１２）
ωＷ≧３０  ・・・（ａ）
ｆＴ／ｆＷ≧４．５  ・・・（ｂ）
（ここで、
ｆＧ１：第１レンズ群の合成焦点距離、
ｔＧ１：第１レンズ群の厚み（最物体側レンズ素子の物体側面から最像側レンズ素子の像側面までの光軸上の距離）、
Ｍ１：広角端から望遠端へのズーミング時の、第１レンズ群の光軸方向の移動量（広角端を基準とし、像側から物体側への移動を正とする）、
ｆＧ２：第２レンズ群の合成焦点距離、
ｔＬ２１：第２レンズ群の最物体側レンズ素子の中心厚み、
ωＷ：広角端での半画角（°）、
ｆＴ：望遠端での全系の焦点距離、
ｆＷ：広角端での全系の焦点距離
である）
を満足するズームレンズ系である、撮像装置。
【請求項１５】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（１−３）、（７）、（１２）、（ａ）及び（ｂ）：
５３＜（ｆＴ／ｆＷ）×ｆＧ１／ｔＧ１＜９００  ・・・（１−３）
０．４９≦Ｍ１／ｆＧ１＜０．７０  ・・・（７）
−２５０＜ｆＧ２／ｔＬ２１＜−１８  ・・・（１２）
ωＷ≧３０  ・・・（ａ）
ｆＴ／ｆＷ≧４．５  ・・・（ｂ）
（ここで、
ｆＧ１：第１レンズ群の合成焦点距離、
ｔＧ１：第１レンズ群の厚み（最物体側レンズ素子の物体側面から最像側レンズ素子の像側面までの光軸上の距離）、
Ｍ１：広角端から望遠端へのズーミング時の、第１レンズ群の光軸方向の移動量（広角端を基準とし、像側から物体側への移動を正とする）、
ｆＧ２：第２レンズ群の合成焦点距離、
ｔＬ２１：第２レンズ群の最物体側レンズ素子の中心厚み、
ωＷ：広角端での半画角（°）、
ｆＴ：望遠端での全系の焦点距離、
ｆＷ：広角端での全系の焦点距離
である）
を満足するズームレンズ系である、カメラ。
【発明の詳細な説明】
【技術分野】
【０００１】
本発明は、ズームレンズ系、撮像装置及びカメラに関する。特に本発明は、レンズ全長（最物体側に位置するレンズ素子の物体側面から像面までの光軸上の距離）が非常に短く小型でありながら、広角端での広い画角と高いズーミング比とをバランスよく備えた高性能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。特に、１台のデジタルカメラで、広角域から高望遠域までの広い焦点距離範囲をカバーすることができる、ズーミング比が高いズームレンズ系を搭載したカメラが、その利便性から強く要望されている。一方、近年では、撮影範囲が広い広角域を持つズームレンズ系も求められている。
【０００３】
前記のごとくズーミング比が高いズームレンズ系や、広角域を持つズームレンズ系として、従来より、物体側から像側へと順に、正のパワーを有する第１レンズ群と、負のパワーを有する第２レンズ群と、正のパワーを有する第３レンズ群と、正のパワーを有する第４レンズ群とが配置された、正負正正の４群構成を有するズームレンズが種々提案されている。
【０００４】
特許文献１は、前記正負正正の４群構成を有し、第２レンズ群と第３レンズ群との間に開口絞りを有し、広角端から望遠端への変倍に際し、第１レンズ群と第２レンズ群の間隔が大きく、かつ第２レンズ群と第３レンズ群の間隔が小さくなり、広角端における全系の焦点距離と最大像高との比を規定しており、第２レンズ群に、物体側から像側へ向かって、像側に曲率の大きな面を向けた負レンズ、像側に曲率の大きな凸面を向けた正レンズ、物体側に曲率の大きな凹面を向けた負レンズの３枚を配したズームレンズを開示している。
【０００５】
特許文献２は、前記正負正正の４群構成を有し、広角端から望遠端への変倍に際し、第１レンズ群と第２レンズ群の間隔が大きく、かつ第２レンズ群と第３レンズ群の間隔が小さくなり、広角端における全系の焦点距離と最大像高との比を規定しており、第２レンズ群に、物体側から順に互いに空気間隔を設けて、像側に曲率の大きな面を向けた負レンズ、像側に曲率の大きな面を向けた正レンズ、物体側に曲率の大きな面を向けた負レンズの３枚を配したズームレンズを開示している。
【０００６】
特許文献３は、前記正負正正の４群構成を有し、広角端から望遠端への変倍に際し、第１レンズ群及び第３レンズ群が物体側へ移動し、開口絞りが隣接するレンズ群とは独立に移動し、広角端から望遠端への変倍時の第１レンズ群の総移動量と望遠端における全系の焦点距離との比を既定したズームレンズを開示している。
【０００７】
特許文献４は、前記正負正正の４群構成を有し、第２レンズ群と第３レンズ群との間に明るさ絞りを有し、広角端から望遠端への変倍時に、第１レンズ群は広角端よりも望遠端で物体側に位置するように、第２レンズ群は広角端よりも望遠端で像側に位置するように、明るさ絞りは広角端よりも望遠端で物体側に位置するように、第３レンズ群は広角端よりも望遠端で物体側に位置するように移動し、広角端、望遠端でのズームレンズ全系の焦点距離の比を規定したズームレンズを開示している。
【０００８】
特許文献５は、前記正負正正の４群構成を有し、第２レンズ群と第３レンズ群との間に明るさ絞りを有し、広角端から望遠端への変倍時に、第１レンズ群と第２レンズ群との間隔を広げ、第２レンズ群と第３レンズ群との間隔を狭めるように、第１レンズ群、第２レンズ群、第３レンズ群が移動し、かつ明るさ絞りが第２レンズ群との距離が小さくなるように移動し、第２レンズ群が、物体側から順に、第１負レンズ、正レンズ、第２負レンズの３枚からなり、第２レンズ群の焦点距離と望遠端でのズームレンズ全系の焦点距離との比及び第２負レンズの焦点距離と望遠端でのズームレンズ全系の焦点距離との比を規定したズームレンズを開示している。
【先行技術文献】
【特許文献】
【０００９】
【特許文献１】特開２００５−３２６７４３号公報
【特許文献２】特開２００６−０７８９７９号公報
【特許文献３】特開２００６−２３５０６２号公報
【特許文献４】特開２００８−２０９７７３号公報
【特許文献５】特開２００８−２２５３２８号公報
【発明の概要】
【発明が解決しようとする課題】
【００１０】
しかしながら、前記特許文献１〜５に開示のズームレンズはいずれも、薄型でコンパクトなデジタルカメラに適用し得る程度に小型化されたものではあるが、広角端での画角がある程度広いものの、ズーミング比が４倍程度と低かったり、逆に６倍程度のズーミング比を有するものの、広角端での画角が不充分であり、広角端での画角とズーミング比とのバランスという点で、近年のデジタルカメラに対する要求を満足し得るものではない。
【００１１】
本発明の目的は、レンズ全長が非常に短く小型でありながら、広角端での広い画角と高いズーミング比とをバランスよく備えた高性能なズームレンズ系、該ズームレンズ系を含む撮像装置、及び該撮像装置を備えた薄型でコンパクトなカメラを提供することである。
【課題を解決するための手段】
【００１２】
上記目的の１つは、以下のズームレンズ系により達成される。すなわち本発明は、
物体側から像側へと順に、正のパワーを有する第１レンズ群と、負のパワーを有する第２レンズ群と、正のパワーを有する第３レンズ群と、正のパワーを有する第４レンズ群とからなり、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（１−３）、（７）、（１２）、（ａ）及び（ｂ）：
５３＜（ｆＴ／ｆＷ）×ｆＧ１／ｔＧ１＜９００  ・・・（１−３）
０．４９≦Ｍ１／ｆＧ１＜０．７０  ・・・（７）
−２５０＜ｆＧ２／ｔＬ２１＜−１８  ・・・（１２）
ωＷ≧３０  ・・・（ａ）
ｆＴ／ｆＷ≧４．５  ・・・（ｂ）
（ここで、
ｆＧ１：第１レンズ群の合成焦点距離、
ｔＧ１：第１レンズ群の厚み（最物体側レンズ素子の物体側面から最像側レンズ素子の像側面までの光軸上の距離）、
Ｍ１：広角端から望遠端へのズーミング時の、第１レンズ群の光軸方向の移動量（広角端を基準とし、像側から物体側への移動を正とする）、
ｆＧ２：第２レンズ群の合成焦点距離、
ｔＬ２１：第２レンズ群の最物体側レンズ素子の中心厚み、
ωＷ：広角端での半画角（°）、
ｆＴ：望遠端での全系の焦点距離、
ｆＷ：広角端での全系の焦点距離
である）
を満足するズームレンズ系
に関する。
【００１３】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（１−３）、（７）、（１２）、（ａ）及び（ｂ）：
５３＜（ｆＴ／ｆＷ）×ｆＧ１／ｔＧ１＜９００  ・・・（１−３）
０．４９≦Ｍ１／ｆＧ１＜０．７０  ・・・（７）
−２５０＜ｆＧ２／ｔＬ２１＜−１８  ・・・（１２）
ωＷ≧３０  ・・・（ａ）
ｆＴ／ｆＷ≧４．５  ・・・（ｂ）
（ここで、
ｆＧ１：第１レンズ群の合成焦点距離、
ｔＧ１：第１レンズ群の厚み（最物体側レンズ素子の物体側面から最像側レンズ素子の像側面までの光軸上の距離）、
Ｍ１：広角端から望遠端へのズーミング時の、第１レンズ群の光軸方向の移動量（広角端を基準とし、像側から物体側への移動を正とする）、
ｆＧ２：第２レンズ群の合成焦点距離、
ｔＬ２１：第２レンズ群の最物体側レンズ素子の中心厚み、
ωＷ：広角端での半画角（°）、
ｆＴ：望遠端での全系の焦点距離、
ｆＷ：広角端での全系の焦点距離
である）
を満足するズームレンズ系である、撮像装置
に関する。
【００１４】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（１−３）、（７）、（１２）、（ａ）及び（ｂ）：
５３＜（ｆＴ／ｆＷ）×ｆＧ１／ｔＧ１＜９００  ・・・（１−３）
０．４９≦Ｍ１／ｆＧ１＜０．７０  ・・・（７）
−２５０＜ｆＧ２／ｔＬ２１＜−１８  ・・・（１２）
ωＷ≧３０  ・・・（ａ）
ｆＴ／ｆＷ≧４．５  ・・・（ｂ）
（ここで、
ｆＧ１：第１レンズ群の合成焦点距離、
ｔＧ１：第１レンズ群の厚み（最物体側レンズ素子の物体側面から最像側レンズ素子の像側面までの光軸上の距離）、
Ｍ１：広角端から望遠端へのズーミング時の、第１レンズ群の光軸方向の移動量（広角端を基準とし、像側から物体側への移動を正とする）、
ｆＧ２：第２レンズ群の合成焦点距離、
ｔＬ２１：第２レンズ群の最物体側レンズ素子の中心厚み、
ωＷ：広角端での半画角（°）、
ｆＴ：望遠端での全系の焦点距離、
ｆＷ：広角端での全系の焦点距離
である）
を満足するズームレンズ系である、カメラ
に関する。
【発明の効果】
【００１５】
本発明によれば、レンズ全長が非常に短く小型でありながら、広角端での広い画角と高いズーミング比とをバランスよく備えた高性能なズームレンズ系、該ズームレンズ系を含む撮像装置、及び該撮像装置を備えた薄型でコンパクトなカメラを提供することができる。
【図面の簡単な説明】
【００１６】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７に係るデジタルスチルカメラの概略構成図
【発明を実施するための形態】
【００１７】
（実施の形態１〜６）
図１、４、７、１０、１３及び１６は、各々実施の形態１〜６に係るズームレンズ系のレンズ配置図である。
【００１８】
図１、４、７、１０、１３及び１６は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１９】
各実施の形態に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備え、ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、各レンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００２０】
なお図１、４、７、１０、１３及び１６において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第４レンズ群Ｇ４の最像側レンズ面との間）には、光学的ローパスフィルタや撮像素子のフェースプレート等と等価な平行平板Ｐが設けられている。
【００２１】
さらに図１、４、７、１０、１３及び１６において、第２レンズ群Ｇ２と第３レンズ群Ｇ３との間に開口絞りＡが設けられている。該開口絞りＡは、撮像時の広角端から望遠端へのズーミングの際に、図１に示す実施の形態１では、各レンズ群と独立して光軸上を移動し、図４、７、１０、１３及び１６に示す実施の形態２〜６では、第３レンズ群Ｇ３と一体的に光軸上を移動する。
【００２２】
図１に示すように、実施の形態１に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなり、これら第１レンズ素子Ｌ１と第２レンズ素子Ｌ２とは接合されている。また、第２レンズ素子Ｌ２は、その像側面が非球面である。
【００２３】
実施の形態１に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。これらのうち、第３レンズ素子Ｌ３は、その像側面が非球面である。
【００２４】
また実施の形態１に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その両面が非球面である。
【００２５】
また実施の形態１に係るズームレンズ系において、第４レンズ群Ｇ４は、両凸形状の第９レンズ素子Ｌ９のみからなる。この第９レンズ素子Ｌ９は、その両面が非球面である。
【００２６】
なお、実施の形態１に係るズームレンズ系において、像面Ｓの物体側（像面Ｓと第９レンズ素子Ｌ９との間）には、平行平板Ｐが設けられている。
【００２７】
実施の形態１に係るズームレンズ系において、撮像時の広角端から望遠端へのズーミングの際に、第１レンズ群Ｇ１及び第３レンズ群Ｇ３は、単調に物体側へ移動し、第２レンズ群Ｇ２は、像側に僅かに凸の軌跡を描いて物体側へ移動し、第４レンズ群Ｇ４は、物体側に僅かに凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００２８】
また、実施の形態１に係るズームレンズ系において、撮像時の広角端から望遠端へのズーミングの際に、第２レンズ群Ｇ２と第３レンズ群Ｇ３との間に設けられた開口絞りＡは、単調に物体側に移動する。すなわち、ズーミングに際して、第２レンズ群Ｇ２と開口絞りＡとの間隔は減少する。
【００２９】
図４に示すように、実施の形態２に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなり、これら第１レンズ素子Ｌ１と第２レンズ素子Ｌ２とは接合されている。また、第２レンズ素子Ｌ２は、その像側面が非球面である。
【００３０】
実施の形態２に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。これらのうち、第５レンズ素子Ｌ５は、その像側面が非球面である。
【００３１】
また実施の形態２に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第７レンズ素子Ｌ７は、その物体側面が非球面である。
【００３２】
また実施の形態２に係るズームレンズ系において、第４レンズ群Ｇ４は、物体側に凸面を向けた正メニスカス形状の第９レンズ素子Ｌ９のみからなる。この第９レンズ素子Ｌ９は、その物体側面が非球面である。
【００３３】
なお、実施の形態２に係るズームレンズ系において、像面Ｓの物体側（像面Ｓと第９レンズ素子Ｌ９との間）には、平行平板Ｐが設けられている。
【００３４】
実施の形態２に係るズームレンズ系において、撮像時の広角端から望遠端へのズーミングの際に、第１レンズ群Ｇ１は、物体側へ移動し、第２レンズ群Ｇ２は、像側に凸の軌跡を描いて物体側へ移動し、第３レンズ群Ｇ３は、単調に物体側へ移動し、第４レンズ群Ｇ４は、物体側に凸の軌跡を描きながら望遠端での位置が広角端での位置よりも物体側となるように移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００３５】
図７に示すように、実施の形態３に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなり、これら第１レンズ素子Ｌ１と第２レンズ素子Ｌ２とは接合されている。また、第２レンズ素子Ｌ２は、その像側面が非球面である。
【００３６】
実施の形態３に係るズームレンズ系において、第２レンズ群Ｇ２は、物体側から像側へと順に、両凹形状の第３レンズ素子Ｌ３と、両凹形状の第４レンズ素子Ｌ４と、物体側に凸面を有する平凸形状の第５レンズ素子Ｌ５とからなる。これらのうち、第３レンズ素子Ｌ３は、その像側面が非球面である。
【００３７】
また実施の形態３に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その両面が非球面である。
【００３８】
また実施の形態３に係るズームレンズ系において、第４レンズ群Ｇ４は、両凸形状の第９レンズ素子Ｌ９のみからなる。この第９レンズ素子Ｌ９は、その両面が非球面である。
【００３９】
なお、実施の形態３に係るズームレンズ系において、像面Ｓの物体側（像面Ｓと第９レンズ素子Ｌ９との間）には、平行平板Ｐが設けられている。
【００４０】
実施の形態３に係るズームレンズ系において、撮像時の広角端から望遠端へのズーミングの際に、第１レンズ群Ｇ１及び第３レンズ群Ｇ３は、単調に物体側へ移動し、第２レンズ群Ｇ２は、単調に僅かに物体側へ移動し、第４レンズ群Ｇ４は、像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００４１】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなり、これら第１レンズ素子Ｌ１と第２レンズ素子Ｌ２とは接合されている。また、第２レンズ素子Ｌ２は、その像側面が非球面である。
【００４２】
実施の形態４に係るズームレンズ系において、第２レンズ群Ｇ２は、物体側から像側へと順に、両凹形状の第３レンズ素子Ｌ３と、両凹形状の第４レンズ素子Ｌ４と、両凸形状の第５レンズ素子Ｌ５とからなる。これらのうち、第３レンズ素子Ｌ３は、その像側面が非球面である。
【００４３】
また実施の形態４に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その両面が非球面である。
【００４４】
また実施の形態４に係るズームレンズ系において、第４レンズ群Ｇ４は、両凸形状の第９レンズ素子Ｌ９のみからなる。この第９レンズ素子Ｌ９は、その両面が非球面である。
【００４５】
なお、実施の形態４に係るズームレンズ系において、像面Ｓの物体側（像面Ｓと第９レンズ素子Ｌ９との間）には、平行平板Ｐが設けられている。
【００４６】
実施の形態４に係るズームレンズ系において、撮像時の広角端から望遠端へのズーミングの際に、第１レンズ群Ｇ１及び第３レンズ群Ｇ３は、略単調に物体側へ移動し、第２レンズ群Ｇ２は、単調に僅かに物体側へ移動し、第４レンズ群Ｇ４は、単調に僅かに像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００４７】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなり、これら第１レンズ素子Ｌ１と第２レンズ素子Ｌ２とは接合されている。また、第２レンズ素子Ｌ２は、その像側面が非球面である。
【００４８】
実施の形態５に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。これらのうち、第３レンズ素子Ｌ３は、その像側面が非球面である。
【００４９】
また実施の形態５に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その両面が非球面である。
【００５０】
また実施の形態５に係るズームレンズ系において、第４レンズ群Ｇ４は、両凸形状の第９レンズ素子Ｌ９のみからなる。この第９レンズ素子Ｌ９は、その両面が非球面である。
【００５１】
なお、実施の形態５に係るズームレンズ系において、像面Ｓの物体側（像面Ｓと第９レンズ素子Ｌ９との間）には、平行平板Ｐが設けられている。
【００５２】
実施の形態５に係るズームレンズ系において、撮像時の広角端から望遠端へのズーミングの際に、第１レンズ群Ｇ１及び第３レンズ群Ｇ３は、略単調に物体側へ移動し、第２レンズ群Ｇ２は、像側に僅かに凸の軌跡を描いて物体側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００５３】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなり、これら第１レンズ素子Ｌ１と第２レンズ素子Ｌ２とは接合されている。また、第２レンズ素子Ｌ２は、その像側面が非球面である。
【００５４】
実施の形態６に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。これらのうち、第５レンズ素子Ｌ５は、その像側面が非球面である。
【００５５】
また実施の形態６に係るズームレンズ系において、第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第７レンズ素子Ｌ７は、その物体側面が非球面である。
【００５６】
また実施の形態６に係るズームレンズ系において、第４レンズ群Ｇ４は、物体側に凸面を向けた正メニスカス形状の第９レンズ素子Ｌ９のみからなる。この第９レンズ素子Ｌ９は、その物体側面が非球面である。
【００５７】
なお、実施の形態６に係るズームレンズ系において、像面Ｓの物体側（像面Ｓと第９レンズ素子Ｌ９との間）には、平行平板Ｐが設けられている。
【００５８】
実施の形態６に係るズームレンズ系において、撮像時の広角端から望遠端へのズーミングの際に、第１レンズ群Ｇ１は、物体側へ移動し、第２レンズ群Ｇ２は、像側に凸の軌跡を描いて物体側へ移動し、第３レンズ群Ｇ３は、単調に物体側へ移動し、第４レンズ群Ｇ４は、物体側に凸の軌跡を描きながら望遠端での位置が広角端での位置よりも物体側となるように移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００５９】
実施の形態１〜６に係るズームレンズ系では、第１レンズ群Ｇ１が２枚のレンズ素子、第４レンズ群Ｇ４が１枚のレンズ素子からなるので、レンズ全長が非常に短いレンズ系となっている。
【００６０】
実施の形態１〜６に係るズームレンズ系では、第１レンズ群Ｇ１が、物体側から像側へと順に、負のパワーを有する第１レンズ素子Ｌ１と正のパワーを有する第２レンズ素子Ｌ２とで構成され、かつこれらが接合して接合レンズ素子を形成しているので、よりコンパクトなレンズ系となっている。また第２レンズ素子Ｌ２の像側面が非球面であるので、広角化及び高変倍化による歪曲収差や非点収差の増大を良好に抑制することができる。
【００６１】
実施の形態１〜６に係るズームレンズ系では、第３レンズ群Ｇ３を構成する３枚のレンズ素子のうち、正のパワーを有する第７レンズ素子Ｌ７と負のパワーを有する第８レンズ素子Ｌ８とが接合して接合レンズ素子を形成しているので、よりコンパクトなレンズ系となっている。
【００６２】
実施の形態１〜６に係るズームレンズ系では、第４レンズ群Ｇ４を構成する１枚のレンズ素子が正のパワーを有するので、無限遠物体から近距離物体へフォーカスを行う場合には、各図に示すように第４レンズ群Ｇ４を物体側に繰り出すことで迅速なフォーカスを容易にしている。また、第４レンズ群Ｇ４を構成する１枚のレンズ素子は、非球面を有するので、広角端から望遠端における軸外の像面湾曲を良好に補正することができる。
【００６３】
また実施の形態１〜６に係るズームレンズ系では、撮像時の広角端から望遠端へのズーミングの際に、第１レンズ群Ｇ１、第２レンズ群Ｇ２、第３レンズ群Ｇ３及び第４レンズ群Ｇ４を光軸に沿ってそれぞれ移動させてズーミングを行うが、これら第１レンズ群Ｇ１、第２レンズ群Ｇ２、第３レンズ群Ｇ３及び第４レンズ群Ｇ４のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【００６４】
全系の振動による像点移動を補正する際に、例えば第３レンズ群Ｇ３が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００６５】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００６６】
以下、例えば実施の形態１〜６に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００６７】
例えば実施の形態１〜６に係るズームレンズ系のように、物体側から像側へと順に、正のパワーを有する第１レンズ群と、負のパワーを有する第２レンズ群と、正のパワーを有する第３レンズ群と、正のパワーを有する第４レンズ群とを備えた（以下、このレンズ構成を、実施の形態の基本構成という）ズームレンズ系は、以下の条件（１−３）、（ａ）及び（ｂ）を満足する。
５３＜（ｆT／ｆW）×ｆG1／ｔG1＜９００  ・・・（１−３）
ωW≧３０  ・・・（ａ）
ｆT／ｆW≧４．５  ・・・（ｂ）
ここで、
ｆG1：第１レンズ群の合成焦点距離、
ｔG1：第１レンズ群の厚み（最物体側レンズ素子の物体側面から最像側レンズ素子の像側面までの光軸上の距離）、
ωW：広角端での半画角（°）、
ｆT：望遠端での全系の焦点距離、
ｆW：広角端での全系の焦点距離
である。
【００６８】
前記条件（１−３）は、第１レンズ群の焦点距離と光軸上の厚みとの比を規定している。条件（１−３）の下限を下回ると、第１レンズ群の焦点距離が小さくなり過ぎ、ズーミングに伴う像面湾曲及び非点収差の変動の制御が困難になる。逆に条件（１−３）の上限を上回ると、第１レンズ群の移動量を大きくする必要が生じ、コンパクト化の達成が困難になる。
【００６９】
なお、さらに以下の条件（１−３）’及び（１−３）’’の少なくとも１つを満足することにより、前記効果をさらに奏功させることができる。
５５＜（ｆT／ｆW）×ｆG1／ｔG1  ・・・（１−３）’
（ｆT／ｆW）×ｆG1／ｔG1＜５００  ・・・（１−３）’’
【００７０】
また、前記条件（１−３）、（１−３）’及び（１−３）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００７１】
例えば実施の形態１〜６に係るズームレンズ系のように、基本構成を有するズームレンズ系は、以下の条件（２）を満足することが好ましい。
１．１５＜Ｍ3／ｆG3＜１．８０  ・・・（２）
ここで、
Ｍ3：広角端から望遠端へのズーミング時の、第３レンズ群の光軸方向の移動量（広角端を基準とし、像側から物体側への移動を正とする）、
ｆG3：第３レンズ群の合成焦点距離
である。
【００７２】
前記条件（２）は、広角端から望遠端へのズーミングにおいて、第３レンズ群が光軸方向の移動する際の移動量を規定している。条件（２）の下限を下回ると、ズーミングに伴う球面収差の変動の制御が困難になる恐れがある。逆に条件（２）の上限を上回ると、望遠端におけるＦナンバーが大きくなってしまう恐れがある。
【００７３】
なお、さらに以下の条件（２）’及び（２）’’の少なくとも１つを満足することにより、前記効果をさらに奏功させることができる。
１．２０＜Ｍ3／ｆG3  ・・・（２）’
Ｍ3／ｆG3＜１．６０  ・・・（２）’’
【００７４】
また、前記条件（２）、（２）’及び（２）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００７５】
例えば実施の形態１〜６に係るズームレンズ系のように、基本構成を有するズームレンズ系は、以下の条件（３）を満足することが好ましい。
０．０５０＜（β4T／β4W）／（ｆT／ｆW）＜０．１５５  ・・・（３）
ここで、
β4T：第４レンズ群の望遠端での横倍率、
β4W：第４レンズ群の広角端での横倍率、
ｆT：望遠端での全系の焦点距離、
ｆW：広角端での全系の焦点距離
である。
【００７６】
前記条件（３）は、第４レンズ群の横倍率変化とズーミング比との比を規定している。条件（３）の下限を下回ると、第４レンズ群の変倍寄与が小さくなり過ぎ、コンパクト化の達成が困難になる恐れがある。逆に条件（３）の上限を上回ると、近距離物体撮影時の像面湾曲発生が許容できなくなる恐れがある。
【００７７】
なお、さらに以下の条件（３）’及び（３）’’の少なくとも１つを満足することにより、前記効果をさらに奏功させることができる。
０．０７０＜（β4T／β4W）／（ｆT／ｆW）  ・・・（３）’
（β4T／β4W）／（ｆT／ｆW）＜０．１４５  ・・・（３）’’
【００７８】
また、前記条件（３）、（３）’及び（３）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００７９】
例えば実施の形態１〜６に係るズームレンズ系のように、基本構成を有するズームレンズ系は、以下の条件（４）を満足することが好ましい。
５．３＜｛ｆG3×（ｆT／ｆW）｝／√（ｆW×ｆT）＜７．５  ・・・（４）
ここで、
ｆG3：第３レンズ群の合成焦点距離、
ｆT：望遠端での全系の焦点距離、
ｆW：広角端での全系の焦点距離
である。
【００８０】
前記条件（４）は、第３レンズ群の適切な焦点距離を規定している。条件（４）の下限を下回ると、第３レンズ群の焦点距離が小さくなり過ぎ、ズーミングに伴う球面収差の変動の制御が困難になる恐れがある。逆に条件（４）の上限を上回ると、第３レンズ群の移動量を大きくする必要が生じ、コンパクト化の達成が困難になる恐れがある。
【００８１】
なお、さらに以下の条件（４）’及び（４）’’の少なくとも１つを満足することにより、前記効果をさらに奏功させることができる。
５．４＜｛ｆG3×（ｆT／ｆW）｝／√（ｆW×ｆT）  ・・・（４）’
｛ｆG3×（ｆT／ｆW）｝／√（ｆW×ｆT）＜６．５  ・・・（４）’’
【００８２】
また、前記条件（４）、（４）’及び（４）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００８３】
例えば実施の形態１〜６に係るズームレンズ系のように、基本構成を有するズームレンズ系は、以下の条件（５）を満足することが好ましい。
１０．６＜｛ｆG4×（ｆT／ｆW）｝／√（ｆW×ｆT）＜３５．０  ・・・（５）
ここで、
ｆG4：第４レンズ群の合成焦点距離、
ｆT：望遠端での全系の焦点距離、
ｆW：広角端での全系の焦点距離
である。
【００８４】
前記条件（５）は、第４レンズ群の適切な焦点距離を規定している。条件（５）の下限を下回ると、近距離物体撮影時の像面湾曲発生が許容できなくなる恐れがある。逆に条件（５）の上限を上回ると、第４レンズ群の移動量を大きくする必要が生じ、コンパクト化の達成が困難になる恐れがある。
【００８５】
なお、さらに以下の条件（５）’及び（５）’’の少なくとも１つを満足することにより、前記効果をさらに奏功させることができる。
１２．０＜｛ｆG4×（ｆT／ｆW）｝／√（ｆW×ｆT）  ・・・（５）’
｛ｆG4×（ｆT／ｆW）｝／√（ｆW×ｆT）＜１５．０  ・・・（５）’’
【００８６】
また、前記条件（５）、（５）’及び（５）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００８７】
例えば実施の形態１〜６に係るズームレンズ系のように、基本構成を有するズームレンズ系は、以下の条件（６）を満足することが好ましい。
４．０＜ｆG4／ｆW＜８．０  ・・・（６）
ここで、
ｆG4：第４レンズ群の合成焦点距離、
ｆT：望遠端での全系の焦点距離、
ｆW：広角端での全系の焦点距離
である。
【００８８】
前記条件（６）も、第４レンズ群の適切な焦点距離を規定している。条件（６）の下限を下回ると、近距離物体撮影時の像面湾曲発生が許容できなくなる恐れがある。逆に条件（６）の上限を上回ると、第４レンズ群の移動量を大きくする必要が生じ、コンパクト化の達成が困難になる恐れがある。
【００８９】
なお、さらに以下の条件（６）’及び（６）’’の少なくとも１つを満足することにより、前記効果をさらに奏功させることができる。
４．５＜ｆG4／ｆW  ・・・（６）’
ｆG4／ｆW＜６．０  ・・・（６）’’
【００９０】
また、前記条件（６）、（６）’及び（６）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００９１】
例えば実施の形態１〜６に係るズームレンズ系のように、基本構成を有するズームレンズ系は、以下の条件（７）を満足する。
０．４９≦Ｍ１／ｆＧ１＜０．７０  ・・・（７）
ここで、
Ｍ１：広角端から望遠端へのズーミング時の、第１レンズ群の光軸方向の移動量（広角端を基準とし、像側から物体側への移動を正とする）、
ｆＧ１：第１レンズ群の合成焦点距離
である。
【００９２】
前記条件（７）は、広角端から望遠端へのズーミングにおいて、第１レンズ群が光軸方向の移動する際の移動量を規定している。条件（７）の下限を下回ると、広角端の歪曲収差の制御、並びに望遠端の像面湾曲及び非点収差の制御が困難になる恐れがある。逆に条件（７）の上限を上回ると、ズーミングに伴う像面湾曲の変動の制御が困難になる恐れがある。
【００９３】
なお、さらに以下の条件（７）’及び（７）’’の少なくとも１つを満足することにより、前記効果をさらに奏功させることができる。
０．５０＜Ｍ1／ｆG1  ・・・（７）’
Ｍ1／ｆG1＜０．６０  ・・・（７）’’
【００９４】
また、前記条件（７）、（７）’及び（７）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００９５】
例えば実施の形態１〜６に係るズームレンズ系のように、基本構成を有し、かつ第３レンズ群が少なくとも１組の接合レンズ素子を含むズームレンズ系は、以下の条件（８）を満足することが好ましい。
０．１５＜ｔG3ce／ｔG3＜０．３９  ・・・（８）
ここで、
ｔG3ce：第３レンズ群の接合レンズ素子の中心厚み、
ｔG3：第３レンズ群の厚み（最物体側レンズ素子の物体側面から最像側レンズ素子の像側面までの光軸上の距離）
である。
【００９６】
前記条件（８）は、第３レンズ群に含まれる接合レンズ素子の光軸上の厚みを規定している。条件（８）の下限を下回ると、ズーミングに伴う軸上色収差の変動の補正が困難になる恐れがある。逆に条件（８）の上限を上回ると、広角端における倍率色収差、球面収差の補正が困難になる恐れがある。
【００９７】
なお、さらに以下の条件（８）’及び（８）’’の少なくとも１つを満足することにより、前記効果をさらに奏功させることができる。
０．３０＜ｔG3ce／ｔG3  ・・・（８）’
ｔG3ce／ｔG3＜０．３６  ・・・（８）’’
【００９８】
また、前記条件（８）、（８）’及び（８）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【００９９】
例えば実施の形態１〜６に係るズームレンズ系のように、基本構成を有するズームレンズ系は、以下の条件（９）を満足することが好ましい。
−０．３０＜ｆG2／ｆAIR＜−０．１２  ・・・（９）
ここで、
ｆG2：第２レンズ群の合成焦点距離、
ｆAIR：第２レンズ群の、最像側レンズ素子の物体側面と該最像側レンズ素子と隣り合うレンズ素子の像側面との間の空気レンズの焦点距離
である。
【０１００】
前記条件（９）は、第２レンズ群において、最像側に配置されたレンズ素子と、該最像側に配置されたレンズ素子と隣り合うレンズ素子との間の、空気レンズの焦点距離を規定している。条件（９）の下限を下回ると、ズーミングに伴う像面湾曲の変動の補正が困難になる恐れがある。逆に条件（９）の上限を上回ると、広角端における歪曲収差の補正が困難になる恐れがある。
【０１０１】
なお、さらに以下の条件（９）’及び（９）’’の少なくとも１つを満足することにより、前記効果をさらに奏功させることができる。
−０．２５＜ｆG2／ｆAIR  ・・・（９）’
ｆG2／ｆAIR＜−０．１５  ・・・（９）’’
【０１０２】
また、前記条件（９）、（９）’及び（９）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【０１０３】
例えば実施の形態１〜６に係るズームレンズ系のように、基本構成を有するズームレンズ系は、以下の条件（１０）を満足することが好ましい。
−９０００＜（ｆT／ｆW）×ｆL11／ｔL11＜−５２６  ・・・（１０）
ここで、
ｆL11：第１レンズ群の最物体側レンズ素子の焦点距離、
ｔL11：第１レンズ群の最物体側レンズ素子の中心厚み、
ｆT：望遠端での全系の焦点距離、
ｆW：広角端での全系の焦点距離
である。
【０１０４】
前記条件（１０）は、第１レンズ群において、最物体側に配置されたレンズ素子の焦点距離と光軸上の厚みとの関係を規定している。条件（１０）の下限を下回ると、望遠端での軸上色収差の制御が困難になる恐れや、レンズ素子が薄くなりすぎて製造が困難になる恐れがある。逆に条件（１０）の上限を上回ると、望遠端での像面湾曲及び非点収差の制御が困難になる恐れがある。
【０１０５】
なお、さらに以下の条件（１０）’及び（１０）’’の少なくとも１つを満足することにより、前記効果をさらに奏功させることができる。
−３０００＜（ｆT／ｆW）×ｆL11／ｔL11  ・・・（１０）’
（ｆT／ｆW）×ｆL11／ｔL11＜−５５０  ・・・（１０）’’
【０１０６】
また、前記条件（１０）、（１０）’及び（１０）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【０１０７】
例えば実施の形態１〜６に係るズームレンズ系のように、基本構成を有するズームレンズ系は、以下の条件（１１）を満足することが好ましい。
６５＜（ｆT／ｆW）×ｆG1／ｔL12＜９００  ・・・（１１）
ここで、
ｆG1：第１レンズ群の合成焦点距離、
ｔL12：第１レンズ群の、物体側から２番目に位置するレンズ素子の中心厚み、
ｆT：望遠端での全系の焦点距離、
ｆW：広角端での全系の焦点距離
である。
【０１０８】
前記条件（１１）は、第１レンズ群において、物体側から２番目の位置に配置されたレンズ素子の光軸上の厚みを規定している。条件（１１）の下限を下回ると、ズーミングに伴う球面収差及び像面湾曲の変動の制御が困難になる恐れがある。逆に条件（１１）の上限を上回ると、望遠端での像面湾曲及び非点収差の制御が困難になる恐れや、レンズ素子が薄くなりすぎて製造が困難になる恐れがある。
【０１０９】
なお、さらに以下の条件（１１）’及び（１１）’’の少なくとも１つを満足することにより、前記効果をさらに奏功させることができる。
７０＜（ｆT／ｆW）×ｆG1／ｔL12  ・・・（１１）’
（ｆT／ｆW）×ｆG1／ｔL12＜２００  ・・・（１１）’’
【０１１０】
また、前記条件（１１）、（１１）’及び（１１）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【０１１１】
例えば実施の形態１〜６に係るズームレンズ系のように、基本構成を有するズームレンズ系は、以下の条件（１２）を満足する。
−２５０＜ｆＧ２／ｔＬ２１＜−１８  ・・・（１２）
ここで、
ｆＧ２：第２レンズ群の合成焦点距離、
ｔＬ２１：第２レンズ群の最物体側レンズ素子の中心厚み
である。
【０１１２】
前記条件（１２）は、第２レンズ群において、最物体側に配置されたレンズ素子の光軸上の厚みを規定している。条件（１２）の下限を下回ると、広角化の達成が困難になる恐れや、レンズ素子が薄くなりすぎて製造が困難になる恐れがある。逆に条件（１２）の上限を上回ると、広角端での歪曲収差の制御が困難になる恐れがある。
【０１１３】
なお、さらに以下の条件（１２）’を満足することにより、前記効果をさらに奏功させることができる。
−１００＜ｆＧ２／ｔＬ２１  ・・・（１２）’ 
【０１１４】
また、前記条件（１２）及び（１２）’は、以下の条件（ａ）’及び（ｂ）’の少なくとも１つにおいて満足することがより望ましい。
ωＷ≧３５  ・・・（ａ）’
ｆＴ／ｆＷ≧６．５  ・・・（ｂ）’
【０１１５】
例えば実施の形態１〜６に係るズームレンズ系のように、基本構成を有するズームレンズ系は、以下の条件（１３）を満足することが好ましい。
−２５０＜ｆG2／ｔL22n＜−１６  ・・・（１３）
ここで、
ｆG2：第２レンズ群の合成焦点距離、
ｔL22n：第２レンズ群の、最像側に位置する負レンズ素子の中心厚み
である。
【０１１６】
前記条件（１３）は、第２レンズ群において、最像側に配置された負のパワーを有するレンズ素子の光軸上の厚みを規定している。条件（１３）の下限を下回ると、広角化の達成が困難になる恐れや、レンズ素子が薄くなりすぎて製造が困難になる恐れがある。逆に条件（１３）の上限を上回ると、広角端での歪曲収差の制御が困難になる恐れがある。
【０１１７】
なお、さらに以下の条件（１３）’及び（１３）’’の少なくとも１つを満足することにより、前記効果をさらに奏功させることができる。
−１００＜ｆG2／ｔL22n  ・・・（１３）’
ｆG2／ｔL22n＜−１８  ・・・（１３）’’
【０１１８】
また、前記条件（１３）、（１３）’及び（１３）’’は、以下の条件（ａ）’及び（ｂ）’の少なくとも１つにおいて満足することがより望ましい。
ωW≧３５  ・・・（ａ）’
ｆT／ｆW≧６．５  ・・・（ｂ）’
【０１１９】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【０１２０】
さらに各実施の形態では、像面Ｓの物体側（像面Ｓと第４レンズ群Ｇ４の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０１２１】
（実施の形態７）
図１９は、実施の形態７に係るデジタルスチルカメラの概略構成図である。図１９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１９において、ズームレンズ系１は、第１レンズ群Ｇ１と、第２レンズ群Ｇ２と、開口絞りＡと、第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１２２】
鏡筒は、主鏡筒５と、移動鏡筒６と、円筒カム７とで構成されている。円筒カム７を回転させると、第１レンズ群Ｇ１、第２レンズ群Ｇ２、開口絞りＡ、第３レンズ群Ｇ３及び第４レンズ群Ｇ４が撮像素子２を基準にした所定の位置に移動し、広角端から望遠端までのズーミングを行うことができる。第４レンズ群Ｇ４はフォーカス調整用モータにより光軸方向に移動可能である。
【０１２３】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１９に示したデジタルスチルカメラには、実施の形態１に係るズームレンズ系の替わりに実施の形態２〜６に係るズームレンズ系のいずれかを用いてもよい。また、図１９に示したデジタルスチルカメラの光学系は、動画像を対象とするデジタルビデオカメラに用いることもできる。この場合、静止画像だけでなく、解像度の高い動画像を撮影することができる。
【０１２４】
なお、本実施の形態７に係るデジタルスチルカメラでは、ズームレンズ系１として実施の形態１〜６に係るズームレンズ系を示したが、これらのズームレンズ系は、全てのズーミング域を使用する必要はない。すなわち、所望のズーミング域に応じて、光学性能が確保されている範囲を切り出し、実施の形態１〜６で説明したズームレンズ系よりも低倍率のズームレンズ系として使用してもよい。
【０１２５】
さらに、実施の形態７では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態７において、第２レンズ群Ｇ２全体、第３レンズ群Ｇ３全体、第２レンズ群Ｇ２あるいは第３レンズ群Ｇ３の一部等のズームレンズ系を構成している一部のレンズ群を、沈胴時に光軸上から退避させる、いわゆるスライディング鏡筒にズームレンズ系を適用してもよい。
【０１２６】
また、以上説明した実施の形態１〜６に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０１２７】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
0005628572.tif 000002
ここで、κは円錐定数、Ａ４、Ａ６、Ａ８、Ａ１０、Ａ１２及びＡ１４は、それぞれ４次、６次、８次、１０次、１２次及び１４次の非球面係数である。
【０１２８】
図２、５、８、１１、１４及び１７は、各々実施の形態１〜６に係るズームレンズ系の縦収差図である。
【０１２９】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１３０】
また図３、６、９、１２、１５及び１８は、各々実施の形態１〜６に係るズームレンズ系の望遠端における横収差図である。
【０１３１】
各横収差図において、上段３つの収差図は、望遠端における像ぶれ補正を行っていない基本状態、下段３つの収差図は、第３レンズ群Ｇ３全体を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１３２】
なお、各実施例のズームレンズ系について、望遠端における、像ぶれ補正状態での第３レンズ群Ｇ３の光軸と垂直な方向への移動量は、以下に示すとおりである。
実施例１  ０．０８５ｍｍ
実施例２  ０．１００ｍｍ
実施例３  ０．０９０ｍｍ
実施例４  ０．０８５ｍｍ
実施例５  ０．０８５ｍｍ
実施例６  ０．０８５ｍｍ
【０１３３】
撮影距離が∞で望遠端において、ズームレンズ系が０．３°だけ傾いた場合の像偏心量は、第３レンズ群Ｇ３全体が光軸と垂直な方向に上記の各値だけ平行移動するときの像偏心量に等しい。
【０１３４】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１３５】
（数値実施例１）
数値実施例１のズームレンズ系は、図１に示した実施の形態１に対応する。数値実施例１のズームレンズ系の面データを表１に、非球面データを表２に、各種データを表３に示す。
【０１３６】
表  １（面データ）
面番号         r           d           nd         vd
物面             ∞
1         17.47110     0.50000     1.84666    23.8 
2         12.77780     2.78310     1.58332    59.1 
3*      -121.25860        可変
4       1074.67770     0.30000     1.80470    41.0 
5*         4.48390     2.28830 
6        -14.86000     0.30000     1.74993    45.4 
7         22.02310     0.10110 
8         11.09670     1.01730     1.99537    20.7 
9       -582.95810        可変
10(絞り)           ∞        可変
11*         5.09560     2.29220     1.51835    70.3 
12*       -14.41540     0.10000 
13          4.41120     0.99510     1.61293    37.0 
14          6.48110     0.33550     1.99537    20.7 
15          3.45250        可変
16*        12.08860     1.57190     1.51835    70.3 
17*       -86.86680        可変
18               ∞     0.78000     1.51680    64.2
19               ∞     (BF) 
像面             ∞
【０１３７】
表  ２（非球面データ）
第3面
K= 0.00000E+00, A4= 8.11150E-06, A6= 2.84868E-07, A8=-7.06629E-09
A10=-1.13294E-11, A12= 2.98224E-12, A14=-3.38291E-14 
第5面
K= 0.00000E+00, A4=-3.87772E-04, A6= 1.65802E-05, A8=-8.20777E-07
A10=-5.66424E-08, A12= 8.68245E-14, A14=-9.37322E-14 
第11面
K= 0.00000E+00, A4=-4.72136E-04, A6= 1.05944E-04, A8=-1.77011E-05
A10= 1.67716E-06, A12= 2.85858E-11, A14=-5.33065E-16 
第12面
K= 0.00000E+00, A4= 1.14793E-03, A6= 1.03858E-04, A8=-1.21012E-05
A10= 1.63381E-06, A12= 8.68837E-14, A14=-5.37360E-16 
第16面
K= 0.00000E+00, A4= 5.38048E-04, A6=-1.94053E-05, A8= 7.05384E-07
A10=-4.75530E-08, A12= 0.00000E+00, A14= 0.00000E+00 
第17面
K= 0.00000E+00, A4= 7.12718E-04, A6=-2.24898E-05, A8=-1.43207E-07
A10=-2.28220E-08, A12= 0.00000E+00, A14= 0.00000E+00 
【０１３８】
表  ３（各種データ）
ズーム比     7.48644
広角      中間      望遠
焦点距離       4.6192   12.6485   34.5812
Ｆナンバー     3.23511   4.16381   6.09975
画角        40.2244   16.5154    6.2061
像高         3.4000    3.8300    3.8300
レンズ全長     34.7276   41.1726   51.0292
ＢＦ        0.91665   0.94762   1.00596
d3           0.3000    7.7109   15.0000 
d9           8.8683    2.0155    0.3026 
d10          3.1500    3.1500    1.4700 
d15          4.0014    8.3370   16.1836 
d17          4.1268    5.6471    3.7025 
ズームレンズ群データ
群    始面      焦点距離
1       1      30.64534
2       4      -6.11163
3      11       9.44099
4      16      20.58395
【０１３９】
（数値実施例２）
数値実施例２のズームレンズ系は、図４に示した実施の形態２に対応する。数値実施例２のズームレンズ系の面データを表４に、非球面データを表５に、各種データを表６に示す。
【０１４０】
表  ４（面データ）
面番号         r           d           nd         vd
物面             ∞
1         17.17720     0.50000     1.84666    23.8 
2         12.82040     3.39800     1.58332    59.1 
3*     -1040.03530        可変
4         49.05790     0.30000     1.80470    41.0 
5          4.70330     2.76380 
6        -12.77140     0.30000     1.74993    45.4 
7         20.36460     0.14240 
8         12.67710     1.13160     1.99537    20.7 
9*      -161.40510        可変
10(絞り)           ∞     0.40000
11          4.38810     1.95800     1.51742    52.1 
12        -21.71750     0.52920 
13*         6.67340     0.98750     1.68400    31.3 
14         27.43090     0.40980     1.99537    20.7 
15          4.93690        可変
16*        10.44690     1.66470     1.51610    63.4 
17         41.12910        可変
18               ∞     0.78000     1.51680    64.2
19               ∞     (BF) 
像面             ∞
【０１４１】
表  ５（非球面データ）
第3面
K= 0.00000E+00, A4= 7.60331E-06, A6=-1.40064E-08, A8= 5.18064E-12
第9面
K= 0.00000E+00, A4=-7.53498E-05, A6= 5.33523E-06, A8=-1.30091E-07
第13面
K= 0.00000E+00, A4=-2.27244E-03, A6=-1.03594E-04, A8=-1.57293E-05
第16面
K= 0.00000E+00, A4=-6.83863E-05, A6= 1.60080E-06, A8=-1.50130E-08
【０１４２】
表  ６（各種データ）
ズーム比     9.33668
広角      中間      望遠
焦点距離       4.6175   14.1211   43.1119
Ｆナンバー     3.60832   5.11154   6.10735
画角        40.2454   15.2624    4.9880
像高         3.4000    3.8300    3.8300
レンズ全長     39.3423   43.6574   57.1167
ＢＦ        0.91458   0.94559   1.00687
d3           0.3000    7.2677   17.0255 
d9          14.2762    4.5263    1.3000 
d15          6.0866    8.0162   17.9879 
d17          2.4999    7.6366    4.5314 
ズームレンズ群データ
群    始面      焦点距離
1       1      33.85062
2       4      -6.11220
3      10       9.64373
4      16      26.64214
【０１４３】
（数値実施例３）
数値実施例３のズームレンズ系は、図７に示した実施の形態３に対応する。数値実施例３のズームレンズ系の面データを表７に、非球面データを表８に、各種データを表９に示す。
【０１４４】
表  ７（面データ）
面番号         r           d           nd         vd
物面             ∞
1         15.57450     0.50000     1.84666    23.8 
2         11.61700     3.12000     1.58332    59.1 
3*      -123.69100        可変
4       -130.31500     0.30000     1.80470    41.0 
5*         4.46700     2.52000 
6        -15.05300     0.30000     1.81600    46.6 
7         80.65800     0.17000 
8         13.14000     0.98000     1.94595    18.0 
9               ∞        可変
10(絞り)           ∞     0.30000
11*         4.45200     2.41000     1.51845    70.0 
12*       -12.78700     0.15000 
13          5.78700     0.94000     1.65128    38.3 
14         14.22600     0.40000     1.84666    23.8 
15          3.65500        可変
16*        15.88120     1.48080     1.58332    59.1 
17*       -41.56400        可変
18               ∞     0.78000     1.51680    64.2
19               ∞     (BF) 
像面             ∞
【０１４５】
表  ８（非球面データ）
第3面
K= 0.00000E+00, A4= 7.11781E-06, A6= 1.29957E-06, A8=-6.71076E-08
A10= 1.83321E-09, A12=-2.64889E-11, A14= 1.58897E-13 
第5面
K= 0.00000E+00, A4=-5.41893E-04, A6=-2.74186E-05, A8= 6.68199E-06
A10=-1.14304E-06, A12= 7.39873E-08, A14=-2.04786E-09 
第11面
K= 0.00000E+00, A4=-7.23575E-04, A6= 1.26368E-04, A8=-3.86130E-05
A10= 7.68227E-06, A12= 1.54012E-07, A14=-9.57976E-08 
第12面
K= 0.00000E+00, A4= 1.78219E-03, A6= 2.08679E-04, A8=-6.97604E-05
A10= 1.87950E-05, A12=-1.02863E-06, A14=-5.57732E-08 
第16面
K= 0.00000E+00, A4= 1.30949E-03, A6=-1.04056E-04, A8= 5.71297E-06
A10=-1.30572E-07, A12= 0.00000E+00, A14= 0.00000E+00 
第17面
K= 0.00000E+00, A4= 1.62164E-03, A6=-1.33226E-04, A8= 6.62129E-06
A10=-1.45371E-07, A12= 0.00000E+00, A14= 0.00000E+00 
【０１４６】
表  ９（各種データ）
ズーム比     7.49874
広角      中間      望遠
焦点距離       4.6532   12.7463   34.8928
Ｆナンバー     3.39062   4.90571   6.12988
画角        41.3389   16.7103    6.2911
像高         3.6000    3.9020    3.9020
レンズ全長     34.2593   40.6906   48.2454
ＢＦ        0.84760   0.82135   0.85243
d3           0.3300    6.2145   13.0000 
d9          11.0250    4.7950    0.8900 
d15          3.2861    9.9694   15.6596 
d17          4.4198    4.5396    3.4926 
ズームレンズ群データ
群    始面      焦点距離
1       1      27.49072
2       4      -5.91501
3      10       9.25782
4      16      19.88768
【０１４７】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１４８】
表  １０（面データ）
面番号         r           d           nd         vd
物面             ∞
1         17.80690     0.65000     1.84666    23.8 
2         12.02340     2.89720     1.68863    52.8 
3*      -490.58770        可変
4       -568.88980     0.30000     1.80470    41.0 
5*         4.57670     2.72240 
6        -14.00980     0.30000     1.81600    46.6 
7         57.28280     0.23580 
8         14.16310     0.95940     1.94595    18.0 
9       -238.76930        可変
10(絞り)           ∞     0.30000
11*         4.54050     2.50870     1.51845    70.0 
12*       -12.42410     0.09640 
13          5.25880     0.79150     1.61720    54.1 
14          7.91350     0.40000     1.84666    23.8 
15          3.45140        可変
16*        19.39100     1.44050     1.51845    70.0 
17*       -25.14690        可変
18               ∞     0.78000     1.51680    64.2
19               ∞     (BF) 
像面             ∞
【０１４９】
表  １１（非球面データ）
第3面
K= 0.00000E+00, A4=-1.66197E-06, A6= 1.18447E-06, A8=-5.02553E-08
A10= 1.07772E-09, A12=-1.09341E-11, A14= 3.78052E-14 
第5面
K= 0.00000E+00, A4=-4.17600E-04, A6=-2.66984E-05, A8= 6.86983E-06
A10=-1.12718E-06, A12= 7.40629E-08, A14=-2.01494E-09 
第11面
K= 0.00000E+00, A4=-8.97952E-04, A6= 3.92079E-05, A8=-1.95984E-05
A10= 5.00932E-06, A12=-1.50902E-08, A14=-6.09931E-08 
第12面
K= 0.00000E+00, A4= 1.25409E-03, A6= 1.63953E-04, A8=-6.69710E-05
A10= 1.81836E-05, A12=-1.60412E-06, A14= 1.17236E-08 
第16面
K= 0.00000E+00, A4= 3.11792E-04, A6=-3.13905E-05, A8= 3.12763E-06
A10=-8.84964E-08, A12= 0.00000E+00, A14= 0.00000E+00 
第17面
K= 0.00000E+00, A4= 4.61277E-04, A6=-5.47272E-05, A8= 4.10270E-06
A10=-1.06668E-07, A12= 0.00000E+00, A14= 0.00000E+00 
【０１５０】
表  １２（各種データ）
ズーム比     7.49976
広角      中間      望遠
焦点距離       4.6580   12.7581   34.9342
Ｆナンバー     3.39823   5.03777   6.09979
画角        41.2990   16.7820    6.3118
像高         3.6000    3.9020    3.9020
レンズ全長     35.4288   41.1847   49.0736
ＢＦ        0.51608   0.56196   0.60174
d3           0.3300    5.6409   13.0000 
d9          11.4190    4.8450    0.8900 
d15          4.7279   11.9031   16.5706 
d17          4.0539    3.8518    3.6294 
ズームレンズ群データ
群    始面      焦点距離
1       1      27.83974
2       4      -5.80424
3      10       9.20549
4      16      21.35358
【０１５１】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１５２】
表  １３（面データ）
面番号         r           d           nd         vd
物面             ∞
1         17.59030     0.10000     1.84666    23.8 
2         12.05100     2.90370     1.68863    52.8 
3*      -330.72000        可変
4        271.74070     0.10000     1.80470    41.0 
5*         4.47730     2.73660 
6        -13.34660     0.10000     1.81600    46.6 
7         50.69290     0.24470 
8         13.73350     0.78200     1.94595    18.0 
9       -155.68150        可変
10(絞り)           ∞     0.30000
11*         4.51360     2.85320     1.51835    70.3 
12*       -14.44820     0.11290 
13          5.08620     0.80600     1.61720    54.1 
14          8.18890     0.10000     1.84666    23.8 
15          3.65980        可変
16*        12.82370     1.22100     1.51835    70.3 
17*       -96.30810        可変
18               ∞     0.78000     1.51680    64.2
19               ∞     (BF) 
像面             ∞
【０１５３】
表  １４（非球面データ）
第3面
K= 0.00000E+00, A4= 2.28372E-07, A6= 1.08244E-06, A8=-4.68071E-08
A10= 1.08013E-09, A12=-1.30881E-11, A14= 6.55908E-14 
第5面
K= 0.00000E+00, A4=-4.71832E-04, A6=-6.58602E-06, A8= 2.20339E-06
A10=-5.35942E-07, A12= 3.89081E-08, A14=-1.21974E-09 
第11面
K= 0.00000E+00, A4=-7.78498E-04, A6= 1.25451E-04, A8=-3.94153E-05
A10= 6.86397E-06, A12= 1.88044E-07, A14=-1.05854E-07 
第12面
K= 0.00000E+00, A4= 1.54352E-03, A6= 2.14554E-04, A8=-6.81651E-05
A10= 1.82498E-05, A12=-1.58009E-06, A14= 5.81997E-09 
第16面
K= 0.00000E+00, A4= 2.30584E-04, A6=-3.36495E-05, A8= 3.01234E-06
A10=-6.81404E-08, A12= 0.00000E+00, A14= 0.00000E+00 
第17面
K= 0.00000E+00, A4= 4.61443E-04, A6=-7.27211E-05, A8= 4.89642E-06
A10=-1.04313E-07, A12= 0.00000E+00, A14= 0.00000E+00 
【０１５４】
表  １５（各種データ）
ズーム比     7.50139
広角      中間      望遠
焦点距離       4.6572   12.7592   34.9357
Ｆナンバー     3.48399   4.88905   6.10072
画角        41.1832   16.7027    6.2968
像高         3.6000    3.9020    3.9020
レンズ全長     34.8066   40.7640   48.3093
ＢＦ        0.51553   0.55177   0.59663
d3           0.3300    6.4457   13.0000 
d9          11.4357    4.9402    0.8900 
d15          5.4425   11.4817   17.0872 
d17          3.9428    4.2045    3.5954 
ズームレンズ群データ
群    始面      焦点距離
1       1      27.02401
2       4      -5.76501
3      10       9.33388
4      16      21.91612
【０１５５】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１５６】
表  １６（面データ）
面番号         r           d           nd         vd
物面             ∞
1         17.10190     0.10000     1.84666    23.8 
2         13.09290     3.62540     1.58332    59.1 
3*     -1065.78530        可変
4         39.97580     0.10000     1.80470    41.0 
5          4.65370     2.80340 
6        -12.23240     0.10000     1.74993    45.4 
7         19.13300     0.13110 
8         12.12160     0.92740     1.99537    20.7 
9*      -138.86710        可変
10(絞り)           ∞     0.40000
11          4.45740     2.05640     1.51742    52.1 
12        -18.97810     0.43600 
13*         6.90660     0.97290     1.68400    31.3 
14         36.26920     0.10000     1.99537    20.7 
15          5.31850        可変
16*         8.99580     1.40660     1.51610    63.4 
17         32.28760        可変
18               ∞     0.78000     1.51680    64.2
19               ∞     (BF) 
像面             ∞
【０１５７】
表  １７（非球面データ）
第3面
K= 0.00000E+00, A4= 8.25308E-06, A6=-1.22493E-08, A8= 5.15824E-12
第9面
K= 0.00000E+00, A4=-6.10967E-05, A6= 3.19013E-06, A8= 1.35922E-08
第13面
K= 0.00000E+00, A4=-2.14168E-03, A6=-1.10355E-04, A8=-1.28631E-05
第16面
K= 0.00000E+00, A4=-9.54847E-05, A6= 6.90485E-07, A8= 1.09447E-08
【０１５８】
表  １８（各種データ）
ズーム比     9.33315
広角      中間      望遠
焦点距離       4.6153   14.1102   43.0756
Ｆナンバー     3.60552   5.07671   6.10243
画角        40.1883   15.4550    5.0077
像高         3.4000    3.8300    3.8300
レンズ全長     38.9420   44.0812   56.8186
ＢＦ        0.91359   0.94299   0.99154
d3           0.3093    7.1620   17.3053 
d9          14.1863    4.4186    1.1242 
d15          7.0504   10.3714   18.6596 
d17          2.5432    7.2470    4.7988 
ズームレンズ群データ
群    始面      焦点距離
1       1      33.38187
2       4      -6.10281
3      10       9.87390
4      16      23.67565
【０１５９】
以下の表１９に、各数値実施例のズームレンズ系における各条件の対応値を示す。
【０１６０】
表  １９（条件の対応値）
【表１】
0005628572.tif 000003
【産業上の利用可能性】
【０１６１】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１６２】
Ｇ１    第１レンズ群
Ｇ２    第２レンズ群
Ｇ３    第３レンズ群
Ｇ４    第４レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
0005628572.tif 000004
【図２】
0005628572.tif 000005
【図３】
0005628572.tif 000006
【図４】
0005628572.tif 000007
【図５】
0005628572.tif 000008
【図６】
0005628572.tif 000009
【図７】
0005628572.tif 000010
【図８】
0005628572.tif 000011
【図９】
0005628572.tif 000012
【図１０】
0005628572.tif 000013
【図１１】
0005628572.tif 000014
【図１２】
0005628572.tif 000015
【図１３】
0005628572.tif 000016
【図１４】
0005628572.tif 000017
【図１５】
0005628572.tif 000018
【図１６】
0005628572.tif 000019
【図１７】
0005628572.tif 000020
【図１８】
0005628572.tif 000021
【図１９】
0005628572.tif 000022